(57)【要約】【課題】広告情報提供者が広告効果のあるユーザを選択して広告情報を提供することができるサーバ装置を提供する。【解決手段】商品情報データベース２３は、商品である着信メロディデータと、当該商品に関連するアーティスト等の情報を記憶する。広告情報データベース２４は、アーティストに関連する広告情報等を記憶する。サーバ装置２０は、携帯情報端末１０からアーティストの検索要求を受信して、検索要求に含まれているテキストに基づいて商品情報データベース２３から当該テキストを含むアーティスト名を検出し、携帯情報端末に結果を送信する。次に、携帯情報端末１０から商品表示要求を受信し、商品表示要求のアーティスト名に対応する着信メロディデータを商品情報データベース２３から検出する。検出した着信メロディデータの一覧情報と当該アーティストに対応する広告情報を広告情報データベース２４から読み出してウェブページを生成して送信する。【選択図】    図１
2005332169.tif 000002
【特許請求の範囲】
【請求項１】
携帯情報端末から商品の検索要求を受信して、前記携帯情報端末に候補となる商品情報を送信するサーバ装置において、
前記商品としての素材データと、素材データ名と、当該素材データの関連者を識別する関連者識別情報とを対応付けて記憶する商品情報記憶部と、
前記関連者識別情報と対応付けて前記関連者に関連する広告情報を記憶する広告情報記憶部と、
検索したい前記商品の前記関連者を識別する前記関連者識別情報を含む前記検索要求を前記携帯情報端末から受信する商品検索要求受信手段と、
前記検索要求に含まれる前記関連者識別情報に対応する前記素材データ名を検出する商品情報検出手段と、
前記検索要求に含まれる前記関連者識別情報に対応する前記広告情報を前記広告情報記憶部から検出する広告情報検出手段と、
前記商品情報検出手段によって検出された前記素材データ名と、前記広告情報検出手段によって検出された前記広告情報とを前記携帯情報端末に送信する商品候補送信手段と、
を備えたことを特徴とするサーバ装置。
【請求項２】
前記広告情報記憶部には更に、前記広告情報ごとに前記広告情報を利用することが可能な期間を示す開始日と終了日の日付情報を記憶しており、
前記広告情報検出手段は、
前記広告情報を前記広告情報記憶部から検出した際に、検出した前記広告情報に対応付けられている前記開始日と前記終了日が示す期間に検出した時点での日付が含まれているか否かを確認し、
前記商品候補送信手段は、
前記広告情報検出手段によって含まれていないと確認された場合に、検出した前記広告情報を前記携帯情報端末に送信しないことを特徴とする請求項１に記載のサーバ装置。
【請求項３】
前記素材データ名を含む商品選択要求を前記携帯情報端末から受信する商品選択要求受信手段と、
前記商品選択要求受信手段によって受信された前記素材データ名に対応する前記素材データを販売する際に必要となる顧客入力情報を前記携帯情報端末へ送信する顧客入力情報送信手段と、
を備えたことを特徴とする請求項１または２に記載のサーバ装置。
【請求項４】
前記広告情報に含まれている参照情報を前記携帯情報端末から受信する広告参照情報受信手段と、
前記広告参照情報受信手段によって受信された前記参照情報に予め対応付けて記憶している情報を前記携帯情報端末へ送信する広告参照情報応答手段と、
を備えたことを特徴とする請求項１乃至３のいずれか１つに記載のサーバ装置。
【請求項５】
商品としての素材データと、素材データ名と、当該素材データの関連者を識別する関連者識別情報とを対応付けて記憶する商品情報記憶部と、前記関連者識別情報と対応付けて前記関連者に関連する広告情報を記憶する広告情報記憶部と、を備え、携帯情報端末から前記商品の検索要求を受信して、前記携帯情報端末に候補となる商品情報を送信するサーバ装置の広告情報表示方法であって、
検索したい前記商品の前記関連者を識別する前記関連者識別情報を含む前記検索要求を前記携帯情報端末から受信する過程と、
前記検索要求に含まれる前記関連者識別情報に対応する前記素材データ名を検出する過程と、
前記検索要求に含まれる前記関連者識別情報に対応する前記広告情報を前記広告情報記憶部から検出する過程と、
前記商品情報検出手段によって検出された前記素材データ名と、前記広告情報検出手段によって検出された前記広告情報とを前記携帯情報端末に送信する過程と、
からなることを特徴とする広告情報表示方法。
【請求項６】
商品としての素材データと、素材データ名と、当該素材データの関連者を識別する関連者識別情報とを対応付けて記憶する商品情報記憶部と、前記関連者識別情報と対応付けて前記関連者に関連する広告情報を記憶する広告情報記憶部と、携帯情報端末から前記商品の検索要求を受信して、前記携帯情報端末に候補となる商品情報を送信するサーバ装置のコンピュータを、
検索したい前記商品の前記関連者を識別する前記関連者識別情報を含む前記検索要求を前記携帯情報端末から受信する商品検索要求受信手段、
前記検索要求に含まれる前記関連者識別情報に対応する前記素材データ名を検出する商品情報検出手段、
前記検索要求に含まれる前記関連者識別情報に対応する前記広告情報を前記広告情報記憶部から検出する広告情報検出手段、
前記商品情報検出手段によって検出された前記素材データ名と、前記広告情報検出手段によって検出された前記広告情報とを前記携帯情報端末に送信する商品候補送信手段、
として機能させることを特徴とするコンピュータプログラム。
【請求項７】
商品としての素材データと、素材データ名と、当該素材データの関連者を識別する関連者識別情報とを対応付けて記憶する商品情報記憶部と、前記関連者識別情報と対応付けて前記関連者に関連する広告情報を記憶する広告情報記憶部と、携帯情報端末から前記商品の検索要求を受信して、前記携帯情報端末に候補となる商品情報を送信するサーバ装置のコンピュータを、
検索したい前記商品の前記関連者を識別する前記関連者識別情報を含む前記検索要求を前記携帯情報端末から受信する商品検索要求受信手段、
前記検索要求に含まれる前記関連者識別情報に対応する前記素材データ名を検出する商品情報検出手段、
前記検索要求に含まれる前記関連者識別情報に対応する前記広告情報を前記広告情報記憶部から検出する広告情報検出手段、
前記商品情報検出手段によって検出された前記素材データ名と、前記広告情報検出手段によって検出された前記広告情報とを前記携帯情報端末に送信する商品候補送信手段、
として機能させることを特徴とするコンピュータプログラムを記録したコンピュータ読取可能な記録媒体。
【発明の詳細な説明】
【技術分野】
【０００１】
本発明は、例えば、商品を販売する際に商品に関連する広告を携帯情報端末に提供するサーバ装置及び広告情報表示方法並びにコンピュータプログラムとその記録媒体に関する。
【背景技術】
【０００２】
従来、サーバ装置のウェブページに広告情報を付加しておき、当該ウェブページに接続してきた端末装置のユーザに広告情報を提供する手段や、サーバ装置から端末装置に対して広告情報を配信して、端末装置のユーザに広告情報を提供するということは広く行われている（例えば、特許文献１参照）。
【特許文献１】特開２００２−３６６０６８号公報
【発明の開示】
【発明が解決しようとする課題】
【０００３】
しかしながら、従来の技術は、ウェブページ等に予め付与されている広告情報を不特定多数のユーザに提供する手段や、ユーザが自らの趣向の情報を指定してサーバ装置から広告情報を取得するという技術であり、広告情報の提供者がユーザを選択して広告情報を提供することができないという問題がある。
【０００４】
本発明は、上記問題を解決すべくなされたもので、その目的は、広告情報提供者が広告効果のあるユーザの携帯情報端末に対して広告情報を表示させることができるサーバ装置を提供することにある。
【課題を解決するための手段】
【０００５】
上記の問題を解決するために、本発明の一実施形態は、携帯情報端末から商品の検索要求を受信して、前記携帯情報端末に候補となる商品情報を送信するサーバ装置において、
前記商品としての素材データと、素材データ名と、当該素材データの関連者を識別する関連者識別情報とを対応付けて記憶する商品情報記憶部と、前記関連者識別情報と対応付けて前記関連者に関連する広告情報を記憶する広告情報記憶部と、検索したい前記商品の前記関連者を識別する前記関連者識別情報を含む前記検索要求を前記携帯情報端末から受信する商品検索要求受信手段と、前記検索要求に含まれる前記関連者識別情報に対応する前記素材データ名を検出する商品情報検出手段と、前記検索要求に含まれる前記関連者識別情報に対応する前記広告情報を前記広告情報記憶部から検出する広告情報検出手段と、前記商品情報検出手段によって検出された前記素材データ名と、前記広告情報検出手段によって検出された前記広告情報とを前記携帯情報端末に送信する商品候補送信手段と、を備えたことを特徴とするサーバ装置である。
【０００６】
上記の発明の一実施形態において、前記広告情報記憶部には更に、前記広告情報ごとに前記広告情報を利用することが可能な期間を示す開始日と終了日の日付情報を記憶しており、前記広告情報検出手段は、前記広告情報を前記広告情報記憶部から検出した際に、検出した前記広告情報に対応付けられている前記開始日と前記終了日が示す期間に検出した時点での日付が含まれているか否かを確認し、前記商品候補送信手段は、前記広告情報検出手段によって含まれていないと確認された場合に、検出した前記広告情報を前記携帯情報端末に送信しないことを特徴としてもよい。
【０００７】
上記の発明の一実施形態において、前記素材データ名を含む商品選択要求を前記携帯情報端末から受信する商品選択要求受信手段と、前記商品選択要求受信手段によって受信された前記素材データ名に対応する前記素材データを販売する際に必要となる顧客入力情報を前記携帯情報端末へ送信する顧客入力情報送信手段と、を備えたことを特徴としてもよい。
【０００８】
上記の発明の一実施形態において、前記広告情報に含まれている参照情報を前記携帯情報端末から受信する広告参照情報受信手段と、前記広告参照情報受信手段によって受信された前記参照情報に予め対応付けて記憶している情報を前記携帯情報端末へ送信する広告参照情報応答手段と、を備えたことを特徴としてもよい。
【０００９】
本発明の一実施形態は、商品としての素材データと、素材データ名と、当該素材データの関連者を識別する関連者識別情報とを対応付けて記憶する商品情報記憶部と、前記関連者識別情報と対応付けて前記関連者に関連する広告情報を記憶する広告情報記憶部と、を備え、携帯情報端末から前記商品の検索要求を受信して、前記携帯情報端末に候補となる商品情報を送信するサーバ装置の広告情報表示方法であって、検索したい前記商品の前記関連者を識別する前記関連者識別情報を含む前記検索要求を前記携帯情報端末から受信する過程と、前記検索要求に含まれる前記関連者識別情報に対応する前記素材データ名を検出する過程と、前記検索要求に含まれる前記関連者識別情報に対応する前記広告情報を前記広告情報記憶部から検出する過程と、前記商品情報検出手段によって検出された前記素材データ名と、前記広告情報検出手段によって検出された前記広告情報とを前記携帯情報端末に送信する過程と、からなることを特徴とする広告情報表示方法である。
【００１０】
本発明の一実施形態は、商品としての素材データと、素材データ名と、当該素材データの関連者を識別する関連者識別情報とを対応付けて記憶する商品情報記憶部と、前記関連者識別情報と対応付けて前記関連者に関連する広告情報を記憶する広告情報記憶部と、携帯情報端末から前記商品の検索要求を受信して、前記携帯情報端末に候補となる商品情報を送信するサーバ装置のコンピュータを、検索したい前記商品の前記関連者を識別する前記関連者識別情報を含む前記検索要求を前記携帯情報端末から受信する商品検索要求受信手段、前記検索要求に含まれる前記関連者識別情報に対応する前記素材データ名を検出する商品情報検出手段、前記検索要求に含まれる前記関連者識別情報に対応する前記広告情報を前記広告情報記憶部から検出する広告情報検出手段、前記商品情報検出手段によって検出された前記素材データ名と、前記広告情報検出手段によって検出された前記広告情報とを前記携帯情報端末に送信する商品候補送信手段、として機能させることを特徴とするコンピュータプログラムである。
【００１１】
上記の発明の一実施形態において、商品としての素材データと、素材データ名と、当該素材データの関連者を識別する関連者識別情報とを対応付けて記憶する商品情報記憶部と、前記関連者識別情報と対応付けて前記関連者に関連する広告情報を記憶する広告情報記憶部と、携帯情報端末から前記商品の検索要求を受信して、前記携帯情報端末に候補となる商品情報を送信するサーバ装置のコンピュータを、検索したい前記商品の前記関連者を識別する前記関連者識別情報を含む前記検索要求を前記携帯情報端末から受信する商品検索要求受信手段、前記検索要求に含まれる前記関連者識別情報に対応する前記素材データ名を検出する商品情報検出手段、前記検索要求に含まれる前記関連者識別情報に対応する前記広告情報を前記広告情報記憶部から検出する広告情報検出手段、前記商品情報検出手段によって検出された前記素材データ名と、前記広告情報検出手段によって検出された前記広告情報とを前記携帯情報端末に送信する商品候補送信手段、として機能させることを特徴とするコンピュータプログラムを記録したコンピュータ読取可能な記録媒体である。
【発明の効果】
【００１２】
この発明によれば、広告情報提供者が広告効果のあるユーザを選択してユーザの携帯情報端末に広告情報を表示させることができる効果がある。
【発明を実施するための最良の形態】
【００１３】
以下、本発明の一実施形態によるサーバ装置を図面を参照して説明する。
図１は、本実施形態によるサーバ装置及び当該サーバ装置に接続する携帯情報端末を含む接続構成図を示す概略ブロック図である。
本実施形態では、商品として携帯情報端末１０で利用する着信メロディデータや待ち受け画像データ等の素材データを想定しており、以下の説明では着信メロディデータや待ち受け画像データを商品の具体例として記載する。
携帯情報端末１０（１０ａ及び１０ｂ）は、例えば携帯電話端末であり、移動体通信事業者の基地局３１と移動体通信網３０を介してインターネット等のネットワーク４０に接続する。
サーバ装置２０は、ネットワーク４０を介して携帯情報端末１０から商品である着信メロディデータ等の購入要求を受信して購入処理を行い、また、着信メロディに関連する広告情報を携帯情報端末１０に提供する。サーバ装置２０において、送受信部２１は、ネットワーク４０と接続しユーザの携帯情報端末１０との間でデータの送受信を行う。制御部２２は、商品の検索処理、購入処理及び広告情報の送信処理等の制御を行う。商品情報データベース２３は、サーバ装置２０の運営者が予め設定する商品の素材である着信メロディデータや待ち受け画像データ及びこれらの素材の関連者、即ちアーティストの名前等の関連情報を記憶する。広告情報データベース２４は、サーバ装置２０の運営者が予め設定する着信メロディデータや待ち受け画像データに出演するアーティストに関連する広告情報等を記憶する。
【００１４】
図２は、サーバ装置２０における商品情報データベース２３のデータ構造を説明するための図である。同図におけるデータは、サーバ装置２０の運営者が予め設定するデータである。
同図において、素材ＩＤには、商品である着信メロディデータや待ち受け画像データに予め付与された各商品を一意に識別することができる識別番号を設定する。素材名には、着信メロディデータの曲名や待ち受け画像データの画像のタイトル等を設定する。アーティスト名には、素材データに出演しているアーティストの名前であり、当該名前の情報のテキストデータを設定する。アーティストＩＤには、アーティストごとに予め付与された各アーティストを一意に識別することができる識別番号を設定する。ジャンルＩＤには、着信メロディデータや待ち受け画像データが属するジャンル、例えば着信メロディデータの場合にはポップスやクラッシック等に予め付与された各ジャンルを一意に識別することができる識別番号を設定する。素材データには、携帯情報端末１０にダウンロードさせるための着信メロディデータや待ち受け画像データを設定する。
【００１５】
図３は、サーバ装置２０における広告情報データベース２４のデータ構造を説明するための図である。同図におけるデータもまた、サーバ装置２０の運営者が予め設定するデータである。
同図において、アーティストＩＤには、上記した商品情報データベース２３において説明したアーティストＩＤを設定する。開始日には広告の配信を開始する日付情報が設定され、終了日には広告の配信を終了する日付情報を設定する。広告データには、ユーザの携帯情報端末１０に配信する広告情報を設定する。このデータベースによって、素材のアーティストとそれに関連する広告情報が対応付けられる。また、開始日、終了日によって広告を配信する期間を制御することができる。
【００１６】
図４から図８を参照して、携帯情報端末１０のユーザがアーティスト名から商品を検索し、サーバ装置２０が広告を表示するまでの広告表示処理を説明する。
図４は、当該広告表示処理を示したシーケンス図である。
同図において、最初に携帯情報端末１０はユーザの操作の下でサーバ装置２０のアーティスト名検索のウェブページに接続する（ステップＳ１）。サーバ装置２０は、アーティスト名検索のウェブページの情報を携帯情報端末１０に送信する（ステップＳ２）。次に、携帯情報端末１０のユーザは、アーティスト名検索のウェブページにおいて、アーティスト名の一部を入力する。例えば、「森」という一文字をここで入力したとする（ステップＳ３）。携帯情報端末１０は、入力された文字データを含んだ検索要求をサーバ装置２０に送信する（ステップＳ４）。サーバ装置２０は、検索要求に含まれている「森」という文字データに基づいて商品情報データベース２３から「森」という文字を含むアーティスト名を読み出す（ステップＳ５）。そして、サーバ装置２０は検索結果を携帯情報端末１０に送信する（ステップＳ６）。検索結果を受信した携帯情報端末１０は、図５に示すアーティスト名の候補を画面に表示する。図５では５つの「森」の文字を含むアーティスト名が表示されている（ステップＳ７）。次に、携帯情報端末１０のユーザは、図５のアーティスト名の候補から所望するアーティスト名を選択する（ステップＳ８）。携帯情報端末１０は、選択されたアーティスト名を含む商品表示要求をサーバ装置２０に送信する（ステップＳ９）。サーバ装置２０は、受信した商品表示要求に含まれているアーティスト名に基づいて、商品情報データベース２３からアーティスト名に対応する素材データを検出する（ステップＳ１０）。また、商品情報データベース２３からアーティストＩＤを読み出し、当該アーティストＩＤに基づいて広告情報データベース２４から広告情報を検索する（ステップＳ１１）。そして、該当する広告情報の開始日と終了日を参照し、表示可能か否かを判定する（ステップＳ１２）。表示可能な場合には、広告情報を読み出す（ステップＳ１３）。そして、商品選択のウェブページに広告情報を付加する（ステップＳ１４）。表示ができない場合には商品選択のウェブページの作成のみを行う。そして、サーバ装置は、商品選択のウェブページの情報を携帯情報端末に送信する（ステップＳ１５）。商品選択のウェブページの情報を受信した携帯情報端末１０は、広告情報を含んでいる場合には、図６に示す画面を表示する。このとき、ユーザによって、曲Ａが選択されると、携帯情報端末１０は、サーバ装置２０に曲Ａの情報を含んだ商品選択要求を送信する（ステップＳ１６）。商品選択要求を受信したサーバ装置２０は、顧客入力情報、即ちユーザが購入を行うための情報を入力するウェブページを携帯情報端末１０に送信する（ステップＳ１７）。このとき、携帯情報端末１０の画面には図７の画面が表示され、ユーザによって「はい」が選択されると購入の処理が実行され、「いいえ」が選択されると処理は終了する。また、図６の画面において、ユーザが広告情報を選択すると、携帯情報端末１０は広告選択要求をサーバ装置２０に送信する（ステップＳ１８）。サーバ装置２０は、広告選択要求に対応するウェブページ、即ち広告情報に示されている「○○サービス」に対する入会案内のウェブページを応答する（ステップＳ１９）。入会案内のウェブページを受信した携帯情報端末１０は、図８に示す画面を表示し、ユーザによって「入会する」が選択されると、サービスの入会処理を行い、「入会しない」を選択すると、図６の商品選択のウェブページに戻る。
上述した構成によって、携帯情報端末１０のユーザは、アーティストの名前から所望する着信メロディデータや待ち受け画像データを検索して購入することができ、また、あわせて当該アーティストに関連する広告情報を受信することができる。一方、広告情報の提供者は、商品に関連する広告情報を、商品を購入する携帯情報端末１０のユーザに提供することができる。それによって、携帯情報端末１０のユーザは、自らの趣向にあった広告情報を受信することができ、また、広告情報の提供者はユーザを選別して効果的に広告情報を提供することが可能となる。
【００１７】
上述のサーバ装置は内部に、コンピュータシステムを有している。そして、上述した広告情報表示の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００１８】
【図１】本実施形態によるサーバ装置及び当該サーバ装置に接続する携帯情報端末を含む接続構成図を示すブロック図である。
【図２】同実施形態における商品情報データベースのデータ構造を説明するための図である。
【図３】同実施形態における広告情報データベースのデータ構造を説明するための図である。
【図４】同実施形態におけるサーバ装置の広告表示処理を説明するためのシーケンス図である。
【図５】同実施形態における広告表示処理時に携帯情報端末が表示する画面を示した図（その１）である。
【図６】同実施形態における広告表示処理時に携帯情報端末が表示する画面を示した図（その２）である。
【図７】同実施形態における広告表示処理時に携帯情報端末が表示する画面を示した図（その３）である。
【図８】同実施形態における広告表示処理時に携帯情報端末が表示する画面を示した図（その４）である。
【符号の説明】
【００１９】
１０  携帯情報端末
２０  サーバ装置
２３  商品情報データベース
２４  広告情報データベース
【図１】
2005332169.tif 000003
【図２】
2005332169.tif 000004
【図３】
2005332169.tif 000005
【図４】
2005332169.tif 000006
【図５】
2005332169.tif 000007
【図６】
2005332169.tif 000008
【図７】
2005332169.tif 000009
【図８】
2005332169.tif 000010
【手続補正書】
【提出日】平成16年8月6日(2004.8.6)
【手続補正１】
【補正対象書類名】特許請求の範囲
【補正対象項目名】全文
【補正方法】変更
【補正の内容】
【特許請求の範囲】
【請求項１】
携帯情報端末から商品の検索要求を受信して、前記携帯情報端末に候補となる商品情報を送信するサーバ装置において、
前記商品としての素材データと、素材データ名と、当該素材データの関連者を識別する関連者識別情報とを対応付けて記憶する商品情報記憶手段と、
前記関連者識別情報と対応付けて前記関連者に関連する広告情報を記憶する広告情報記憶手段と、
検索したい前記商品の前記関連者を識別する前記関連者識別情報を含む前記検索要求を前記携帯情報端末から受信する商品検索要求受信手段と、
前記検索要求に含まれる前記関連者識別情報に対応する前記素材データ名を検出する商品情報検出手段と、
前記検索要求に含まれる前記関連者識別情報に対応する前記広告情報を前記広告情報記憶手段から検出する広告情報検出手段と、
前記商品情報検出手段によって検出された前記素材データ名と、前記広告情報検出手段によって検出された前記広告情報とを前記携帯情報端末に送信する商品候補送信手段と、
を備えたことを特徴とするサーバ装置。
【請求項２】
前記広告情報記憶手段には更に、前記広告情報ごとに前記広告情報を利用することが可能な期間を示す開始日と終了日の日付情報を記憶しており、
前記広告情報検出手段は、
前記広告情報を前記広告情報記憶手段から検出した際に、検出した前記広告情報に対応付けられている前記開始日と前記終了日が示す期間に検出した時点での日付が含まれているか否かを確認し、
前記商品候補送信手段は、
前記広告情報検出手段によって含まれていないと確認された場合に、検出した前記広告情報を前記携帯情報端末に送信しないことを特徴とする請求項１に記載のサーバ装置。
【請求項３】
前記素材データ名を含む商品選択要求を前記携帯情報端末から受信する商品選択要求受信手段と、
前記商品選択要求受信手段によって受信された前記素材データ名に対応する前記素材データを販売する際に必要となる顧客入力情報を前記携帯情報端末へ送信する顧客入力情報送信手段と、
を備えたことを特徴とする請求項１または２に記載のサーバ装置。
【請求項４】
前記広告情報に含まれている参照情報を前記携帯情報端末から受信する広告参照情報受信手段と、
前記広告参照情報受信手段によって受信された前記参照情報に予め対応付けて記憶している情報を前記携帯情報端末へ送信する広告参照情報応答手段と、
を備えたことを特徴とする請求項１乃至３のいずれか１つに記載のサーバ装置。
【請求項５】
商品としての素材データと、素材データ名と、当該素材データの関連者を識別する関連者識別情報とを対応付けて記憶する商品情報記憶手段と、前記関連者識別情報と対応付けて前記関連者に関連する広告情報を記憶する広告情報記憶手段と、を備え、携帯情報端末から前記商品の検索要求を受信して、前記携帯情報端末に候補となる商品情報を送信するサーバ装置の広告情報表示方法であって、
検索したい前記商品の前記関連者を識別する前記関連者識別情報を含む前記検索要求を前記携帯情報端末から受信する過程と、
前記検索要求に含まれる前記関連者識別情報に対応する前記素材データ名を検出する過程と、
前記検索要求に含まれる前記関連者識別情報に対応する前記広告情報を前記広告情報記憶手段から検出する過程と、
前記商品情報検出手段によって検出された前記素材データ名と、前記広告情報検出手段によって検出された前記広告情報とを前記携帯情報端末に送信する過程と、
からなることを特徴とする広告情報表示方法。
【請求項６】
商品としての素材データと、素材データ名と、当該素材データの関連者を識別する関連者識別情報とを対応付けて記憶する商品情報記憶手段と、前記関連者識別情報と対応付けて前記関連者に関連する広告情報を記憶する広告情報記憶手段と、携帯情報端末から前記商品の検索要求を受信して、前記携帯情報端末に候補となる商品情報を送信するサーバ装置のコンピュータを、
検索したい前記商品の前記関連者を識別する前記関連者識別情報を含む前記検索要求を前記携帯情報端末から受信する商品検索要求受信手段、
前記検索要求に含まれる前記関連者識別情報に対応する前記素材データ名を検出する商品情報検出手段、
前記検索要求に含まれる前記関連者識別情報に対応する前記広告情報を前記広告情報記憶手段から検出する広告情報検出手段、
前記商品情報検出手段によって検出された前記素材データ名と、前記広告情報検出手段によって検出された前記広告情報とを前記携帯情報端末に送信する商品候補送信手段、
として機能させることを特徴とするコンピュータプログラム。
【手続補正３】
【補正対象書類名】明細書
【補正対象項目名】０００１
【補正方法】変更
【補正の内容】
【０００１】
本発明は、例えば、商品を販売する際に商品に関連する広告を携帯情報端末に提供するサーバ装置及び広告情報表示方法並びにコンピュータプログラムに関する。
【手続補正４】
【補正対象書類名】明細書
【補正対象項目名】０００５
【補正方法】変更
【補正の内容】
【０００５】
上記の問題を解決するために、本発明の一実施形態は、携帯情報端末から商品の検索要求を受信して、前記携帯情報端末に候補となる商品情報を送信するサーバ装置において、前記商品としての素材データと、素材データ名と、当該素材データの関連者を識別する関連者識別情報とを対応付けて記憶する商品情報記憶手段と、前記関連者識別情報と対応付けて前記関連者に関連する広告情報を記憶する広告情報記憶手段と、検索したい前記商品の前記関連者を識別する前記関連者識別情報を含む前記検索要求を前記携帯情報端末から受信する商品検索要求受信手段と、前記検索要求に含まれる前記関連者識別情報に対応する前記素材データ名を検出する商品情報検出手段と、前記検索要求に含まれる前記関連者識別情報に対応する前記広告情報を前記広告情報記憶手段から検出する広告情報検出手段と、前記商品情報検出手段によって検出された前記素材データ名と、前記広告情報検出手段によって検出された前記広告情報とを前記携帯情報端末に送信する商品候補送信手段と、を備えたことを特徴とするサーバ装置である。
【手続補正５】
【補正対象書類名】明細書
【補正対象項目名】０００６
【補正方法】変更
【補正の内容】
【０００６】
上記の発明の一実施形態において、前記広告情報記憶手段には更に、前記広告情報ごとに前記広告情報を利用することが可能な期間を示す開始日と終了日の日付情報を記憶しており、前記広告情報検出手段は、前記広告情報を前記広告情報記憶手段から検出した際に、検出した前記広告情報に対応付けられている前記開始日と前記終了日が示す期間に検出した時点での日付が含まれているか否かを確認し、前記商品候補送信手段は、前記広告情報検出手段によって含まれていないと確認された場合に、検出した前記広告情報を前記携帯情報端末に送信しないことを特徴としてもよい。
【手続補正６】
【補正対象書類名】明細書
【補正対象項目名】０００９
【補正方法】変更
【補正の内容】
【０００９】
本発明の一実施形態は、商品としての素材データと、素材データ名と、当該素材データの関連者を識別する関連者識別情報とを対応付けて記憶する商品情報記憶手段と、前記関連者識別情報と対応付けて前記関連者に関連する広告情報を記憶する広告情報記憶手段と、を備え、携帯情報端末から前記商品の検索要求を受信して、前記携帯情報端末に候補となる商品情報を送信するサーバ装置の広告情報表示方法であって、検索したい前記商品の前記関連者を識別する前記関連者識別情報を含む前記検索要求を前記携帯情報端末から受信する過程と、前記検索要求に含まれる前記関連者識別情報に対応する前記素材データ名を検出する過程と、前記検索要求に含まれる前記関連者識別情報に対応する前記広告情報を前記広告情報記憶手段から検出する過程と、前記商品情報検出手段によって検出された前記素材データ名と、前記広告情報検出手段によって検出された前記広告情報とを前記携帯情報端末に送信する過程と、からなることを特徴とする広告情報表示方法である。
【手続補正７】
【補正対象書類名】明細書
【補正対象項目名】００１０
【補正方法】変更
【補正の内容】
【００１０】
本発明の一実施形態は、商品としての素材データと、素材データ名と、当該素材データ
の関連者を識別する関連者識別情報とを対応付けて記憶する商品情報記憶手段と、前記関連者識別情報と対応付けて前記関連者に関連する広告情報を記憶する広告情報記憶手段と、携帯情報端末から前記商品の検索要求を受信して、前記携帯情報端末に候補となる商品情報を送信するサーバ装置のコンピュータを、検索したい前記商品の前記関連者を識別する前記関連者識別情報を含む前記検索要求を前記携帯情報端末から受信する商品検索要求受信手段、前記検索要求に含まれる前記関連者識別情報に対応する前記素材データ名を検出する商品情報検出手段、前記検索要求に含まれる前記関連者識別情報に対応する前記広告情報を前記広告情報記憶手段から検出する広告情報検出手段、前記商品情報検出手段によって検出された前記素材データ名と、前記広告情報検出手段によって検出された前記広告情報とを前記携帯情報端末に送信する商品候補送信手段、として機能させることを特徴とするコンピュータプログラムである。
【手続補正８】
【補正対象書類名】明細書
【補正対象項目名】００１１
【補正方法】削除
【補正の内容】
【手続補正書】
【提出日】平成16年11月11日(2004.11.11)
【手続補正１】
【補正対象書類名】特許請求の範囲
【補正対象項目名】全文
【補正方法】変更
【補正の内容】
【特許請求の範囲】
【請求項１】
携帯情報端末から商品の検索要求を受信して、前記携帯情報端末に候補となる商品情報を送信するサーバ装置において、
前記商品としての素材データと、素材データ名と、当該素材データの関連者を識別する関連者識別情報とを対応付けて記憶する商品情報記憶手段と、
前記関連者識別情報と対応付けて前記関連者に関連する広告情報を記憶する広告情報記憶手段と、
検索したい前記商品の前記関連者の前記関係者識別情報の一部であるキーワードを含む前記検索要求を前記携帯情報端末から受信する商品検索要求受信手段と、
前記検索要求に含まれる前記キーワードに基づいて前記商品情報記憶手段から前記関連者識別情報を検出し、検出した前記関連者識別情報を前記携帯情報端末に送信する関連者識別情報検出手段と、
前記携帯情報端末のユーザが前記携帯情報端末を操作することによって選択された前記関連者識別情報を前記携帯情報端末から受信する関連者識別情報受信手段と、
前記関連者識別情報受信手段によって受信された前記関連者識別情報に対応する前記素材データ名を前記商品情報記憶手段から検出する商品情報検出手段と、
前記関連者識別情報受信手段によって受信された前記関連者識別情報に対応する前記広告情報を前記広告情報記憶手段から検出する広告情報検出手段と、
前記商品情報検出手段によって検出された前記素材データ名と、前記広告情報検出手段によって検出された前記広告情報とを前記携帯情報端末に送信する商品候補送信手段と、
を備えたことを特徴とするサーバ装置。
【請求項２】
前記商品候補送信手段は、
前記素材データ名と、前記広告情報とがともに前記携帯情報端末の画面に表示されるように前記素材データ名と、前記広告情報とを前記携帯情報端末に送信することを特徴とする請求項１に記載のサーバ装置。
【請求項３】
前記広告情報記憶手段には更に、前記広告情報ごとに前記広告情報を利用することが可能な期間を示す開始日と終了日の日付情報を記憶しており、
前記広告情報検出手段は、
前記広告情報を前記広告情報記憶手段から検出した際に、検出した前記広告情報に対応付けられている前記開始日と前記終了日が示す期間に検出した時点での日付が含まれているか否かを確認し、
前記商品候補送信手段は、
前記広告情報検出手段によって含まれていないと確認された場合に、検出した前記広告情報を前記携帯情報端末に送信しないことを特徴とする請求項１に記載のサーバ装置。
【請求項４】
前記素材データ名を含む商品選択要求を前記携帯情報端末から受信する商品選択要求受信手段と、
前記商品選択要求受信手段によって受信された前記素材データ名に対応する前記素材データを販売する際に必要となる顧客入力情報を前記携帯情報端末へ送信する顧客入力情報送信手段と、
を備えたことを特徴とする請求項１または２に記載のサーバ装置。
【請求項５】
前記広告情報に含まれている参照情報を前記携帯情報端末から受信する広告参照情報受信手段と、
前記広告参照情報受信手段によって受信された前記参照情報に予め対応付けて記憶している情報を前記携帯情報端末へ送信する広告参照情報応答手段と、
を備えたことを特徴とする請求項１乃至３のいずれか１つに記載のサーバ装置。
【請求項６】
商品としての素材データと、素材データ名と、当該素材データの関連者を識別する関連者識別情報とを対応付けて記憶する商品情報記憶手段と、前記関連者識別情報と対応付けて前記関連者に関連する広告情報を記憶する広告情報記憶手段と、を備え、携帯情報端末から前記商品の検索要求を受信して、前記携帯情報端末に候補となる商品情報を送信するサーバ装置の広告情報表示方法であって、
検索したい前記商品の前記関連者の前記関係者識別情報の一部であるキーワードを含む前記検索要求を前記携帯情報端末から受信する過程と、
前記検索要求に含まれる前記キーワードに基づいて前記商品情報記憶手段から前記関連者識別情報を検出し、検出した前記関連者識別情報を前記携帯情報端末に送信する過程と、
前記携帯情報端末のユーザが前記携帯情報端末を操作することによって選択された前記関連者識別情報を前記携帯情報端末から受信する過程と、
受信した前記関連者識別情報に対応する前記素材データ名を前記商品情報記憶手段から検出する過程と、
受信した前記関連者識別情報に対応する前記広告情報を前記広告情報記憶手段から検出する過程と、
検出した前記素材データ名と、前記広告情報とを前記携帯情報端末に送信する過程と、
からなることを特徴とする広告情報表示方法。
【請求項７】
商品としての素材データと、素材データ名と、当該素材データの関連者を識別する関連者識別情報とを対応付けて記憶する商品情報記憶手段と、前記関連者識別情報と対応付けて前記関連者に関連する広告情報を記憶する広告情報記憶手段と、携帯情報端末から前記商品の検索要求を受信して、前記携帯情報端末に候補となる商品情報を送信するサーバ装置のコンピュータを、
検索したい前記商品の前記関連者の前記関係者識別情報の一部であるキーワードを含む前記検索要求を前記携帯情報端末から受信する商品検索要求受信手段、
前記検索要求に含まれる前記キーワードに基づいて前記商品情報記憶手段から前記関連者識別情報を検出し、検出した前記関連者識別情報を前記携帯情報端末に送信する関連者識別情報検出手段、
前記携帯情報端末のユーザが前記携帯情報端末を操作することによって選択された前記関連者識別情報を前記携帯情報端末から受信する関連者識別情報受信手段、
前記関連者識別情報受信手段によって受信された前記関連者識別情報に対応する前記素材データ名を前記商品情報記憶手段から検出する商品情報検出手段、
前記関連者識別情報受信手段によって受信された前記関連者識別情報に対応する前記広告情報を前記広告情報記憶手段から検出する広告情報検出手段、
前記商品情報検出手段によって検出された前記素材データ名と、前記広告情報検出手段によって検出された前記広告情報とを前記携帯情報端末に送信する商品候補送信手段、
として機能させることを特徴とするコンピュータプログラム。
【手続補正２】
【補正対象書類名】明細書
【補正対象項目名】０００５
【補正方法】変更
【補正の内容】
【０００５】
上記の問題を解決するために、本発明の一実施形態は、携帯情報端末から商品の検索要求を受信して、前記携帯情報端末に候補となる商品情報を送信するサーバ装置において、前記商品としての素材データと、素材データ名と、当該素材データの関連者を識別する関連者識別情報とを対応付けて記憶する商品情報記憶手段と、前記関連者識別情報と対応付けて前記関連者に関連する広告情報を記憶する広告情報記憶手段と、検索したい前記商品の前記関連者の前記関係者識別情報の一部であるキーワードを含む前記検索要求を前記携帯情報端末から受信する商品検索要求受信手段と、前記検索要求に含まれる前記キーワードに基づいて前記商品情報記憶手段から前記関連者識別情報を検出し、検出した前記関連者識別情報を前記携帯情報端末に送信する関連者識別情報検出手段と、前記携帯情報端末のユーザが前記携帯情報端末を操作することによって選択された前記関連者識別情報を前記携帯情報端末から受信する関連者識別情報受信手段と、前記関連者識別情報受信手段によって受信された前記関連者識別情報に対応する前記素材データ名を前記商品情報記憶手段から検出する商品情報検出手段と、前記関連者識別情報受信手段によって受信された前記関連者識別情報に対応する前記広告情報を前記広告情報記憶手段から検出する広告情報検出手段と、前記商品情報検出手段によって検出された前記素材データ名と、前記広告情報検出手段によって検出された前記広告情報とを前記携帯情報端末に送信する商品候補送信手段と、を備えたことを特徴とするサーバ装置である。
【手続補正３】
【補正対象書類名】明細書
【補正対象項目名】０００６
【補正方法】変更
【補正の内容】
【０００６】
上記の発明の一実施形態において、前記商品候補送信手段は、前記素材データ名と、前記広告情報とがともに前記携帯情報端末の画面に表示されるように前記素材データ名と、前記広告情報とを前記携帯情報端末に送信することを特徴としてもよい。
上記の発明の一実施形態において、前記広告情報記憶手段には更に、前記広告情報ごとに前記広告情報を利用することが可能な期間を示す開始日と終了日の日付情報を記憶しており、前記広告情報検出手段は、前記広告情報を前記広告情報記憶手段から検出した際に、検出した前記広告情報に対応付けられている前記開始日と前記終了日が示す期間に検出した時点での日付が含まれているか否かを確認し、前記商品候補送信手段は、前記広告情報検出手段によって含まれていないと確認された場合に、検出した前記広告情報を前記携帯情報端末に送信しないことを特徴としてもよい。
【手続補正４】
【補正対象書類名】明細書
【補正対象項目名】０００９
【補正方法】変更
【補正の内容】
【０００９】
本発明の一実施形態は、商品としての素材データと、素材データ名と、当該素材データの関連者を識別する関連者識別情報とを対応付けて記憶する商品情報記憶手段と、前記関連者識別情報と対応付けて前記関連者に関連する広告情報を記憶する広告情報記憶手段と、を備え、携帯情報端末から前記商品の検索要求を受信して、前記携帯情報端末に候補となる商品情報を送信するサーバ装置の広告情報表示方法であって、検索したい前記商品の前記関連者の前記関係者識別情報の一部であるキーワードを含む前記検索要求を前記携帯情報端末から受信する過程と、前記検索要求に含まれる前記キーワードに基づいて前記商品情報記憶手段から前記関連者識別情報を検出し、検出した前記関連者識別情報を前記携帯情報端末に送信する過程と、前記携帯情報端末のユーザが前記携帯情報端末を操作することによって選択された前記関連者識別情報を前記携帯情報端末から受信する過程と、受信した前記関連者識別情報に対応する前記素材データ名を前記商品情報記憶手段から検出する過程と、受信した前記関連者識別情報に対応する前記広告情報を前記広告情報記憶手段から検出する過程と、検出した前記素材データ名と、前記広告情報とを前記携帯情報端末に送信する過程と、からなることを特徴とする広告情報表示方法である。
【手続補正５】
【補正対象書類名】明細書
【補正対象項目名】００１０
【補正方法】変更
【補正の内容】
【００１０】
本発明の一実施形態は、商品としての素材データと、素材データ名と、当該素材データの関連者を識別する関連者識別情報とを対応付けて記憶する商品情報記憶手段と、前記関連者識別情報と対応付けて前記関連者に関連する広告情報を記憶する広告情報記憶手段と、携帯情報端末から前記商品の検索要求を受信して、前記携帯情報端末に候補となる商品情報を送信するサーバ装置のコンピュータを、検索したい前記商品の前記関連者の前記関係者識別情報の一部であるキーワードを含む前記検索要求を前記携帯情報端末から受信する商品検索要求受信手段、前記検索要求に含まれる前記キーワードに基づいて前記商品情報記憶手段から前記関連者識別情報を検出し、検出した前記関連者識別情報を前記携帯情報端末に送信する関連者識別情報検出手段、前記携帯情報端末のユーザが前記携帯情報端末を操作することによって選択された前記関連者識別情報を前記携帯情報端末から受信する関連者識別情報受信手段、前記関連者識別情報受信手段によって受信された前記関連者識別情報に対応する前記素材データ名を前記商品情報記憶手段から検出する商品情報検出手段、前記関連者識別情報受信手段によって受信された前記関連者識別情報に対応する前記広告情報を前記広告情報記憶手段から検出する広告情報検出手段、前記商品情報検出手段によって検出された前記素材データ名と、前記広告情報検出手段によって検出された前記広告情報とを前記携帯情報端末に送信する商品候補送信手段、として機能させることを特徴とするコンピュータプログラムである。